(57)【要約】      （修正有）【課題】郵便差出箱（以下、郵便ポストと称す）は街頭の人目につきやすい箇所に多く設置してあるにも関わらず、担っている役割は郵便の集荷場の役割のみであり、その他にも活用できる余地がある。そこで以上の事実を鑑み、社会の役に立つ機能を複数付与した郵便ポストを提供する。【解決手段】従来の郵便ポストに、ディスプレイを利用した広告宣伝機能、広報機能および災害時緊急情報提供機能や、防犯カメラ、防犯灯などの防犯機能、インターネット無線基地局としての機能等の複数の機能を付与した、利用者にとって利便性の高い多機能郵便ポストを提供する。【選択図】図１
2011062243.tif 000002
【特許請求の範囲】
【請求項１】
本発明の多機能郵便ポストは少なくとも以下の（１）から（１２）の要件；
（１）  センサー付郵便物投函口、
（２）  郵便物一時保管スペース、
（３）  ディスプレイ、
（４）  スピーカー、
（５）  映像および音声が受信可能なインターネット無線受信機、
（６）  インターネット無線受信機により受信した映像をディスプレイに表示可能として、音声をスピーカーから発生可能とする装置、
（７）  太陽光パネル、
（８）  太陽光パネルによって発電された電力を蓄電するバッテリー、
（９）  電気差込口、
（１０）照明装置、
（１１）取り外し自在広告パネル
（１２）インターネット無線の送受信アンテナ、
を有することを特徴とする多機能ポスト。
【請求項２】
本発明の多機能郵便ポストは防犯カメラを有し、その映像が情報センターに送信され、適宜監視され、異常時には情報センターからの通報や遠隔操作によりディスプレイやスピーカーを用いて周囲に警報を発することができる特徴とする請求項１に記載の多機能郵便ポスト。
【請求項３】
本発明の多機能郵便ポストは情報センターから映像情報および音声情報を請求項１に記載の映像および音声が受信可能なインターネット無線受信機により受信し、ディスプレイおよびスピーカーによる再現を可能とする再生装置を有することを特徴とする請求項１から２のいずれかの多機能郵便ポスト。
【請求項４】
本発明の多機能郵便ポストのディスプレイは表示領域分割機能を有し、複数の表示領域を得ることができる、また、タッチパネル機能を有することを特徴とする請求項１から３いずれかの多機能郵便ポスト。
【請求項５】
本発明の多機能郵便ポストは請求項１に記載のインターネット無線送受信アンテナにより、インターネット無線の基地局としての機能を有することを特徴とする請求項１から３のいずれかの多機能郵便ポスト。
【請求項６】
本発明の多機能郵便ポストは請求項１に記載の取り外し自在広告パネルが側面にあり、該広告パネルが多機能郵便ポスト内部に設置された請求項１に記載の照明装置の光を透過することにより、多機能郵便ポストが発光することから、夜間に防犯灯としての機能を有する請求項１から４のいずれかの多機能郵便ポスト。
【発明の詳細な説明】
【技術分野】
【０００１】
本発明は、機能を付与した郵便差出箱（以下、郵便ポストと称す）を提供することに関する。さらに詳しくはディスプレイを利用した広告宣伝機能、広報機能および災害時緊急情報提供機能や、防犯カメラ、防犯灯などの防犯機能、インターネット無線基地局としての機能等の複数の機能を付与した郵便ポストを提供することに関する。
【背景技術】
【０００２】
郵便事業株式会社によると2007年3月31日現在、郵便ポストは全国に1,923,000本設置されている（http://www.post.japanpost.jp/whats_new/2007/1001_02_01.pdf）。人通りの多い街頭にも多く設置されており、人々は手近な郵便ポストに発送希望の郵便物を投函し、郵便事業株式会社によりの郵便物が輸送され、相手先に届けられる。つまり、郵便ポストは郵便の集荷場という役割を担っている。しかし、街頭の人目につきやすい箇所に設置してあるにも関わらず、担っている役割は郵便の集荷場の役割のみであり、その他にも活用できる余地がある。
【発明の概要】
【発明が解決しようとする課題】
【０００３】
そこで本発明は、以上の事実を鑑み、社会の役に立つ機能を複数付与した郵便ポストを提供することを課題とした。
【課題を解決するための手段】
【０００４】
上記課題を解決するために、本発明者らはディスプレイおよび映像受信装置、防犯カメラ等を備えた郵便ポストを提供することで、広告宣伝機能、広報機能、さらに災害時の緊急情報提供機能、監視カメラや防犯灯などの防犯機能、インターネット無線の基地局としての機能等を有する郵便ポストが提供できることを見いだした。
【発明の効果】
【０００５】
前記の形態に基づいて本発明を実施すると以下の効果が得られる。
＜１＞  郵便物を投函する利用者の利便性として；（１）タッチパネルの操作により、郵便番号や料金等の郵便サービスに関する情報が投函時に得られる、（２）受付番号の発行により配信状況の追跡調査が可能になる、（３）防犯性の高いポストに投函することで郵便物の破損や紛失等のリスクが軽減される、という効果を有する。
＜２＞  治安の改善として、従来の郵便ポストは街頭に多く設置されているにもかかわらず、治安維持として何の機能も発揮していなかったが、本発明の多機能郵便ポストは、防犯灯、防犯カメラによる監視、警報装置、遠隔操作による通報装置を備え、犯罪抑止の効果も期待できる。
＜３＞  広告・広報の手段として、前記に同じく、従来の郵便ポストは人通りの多い街頭に多く設置されているにも関わらず、機能を備えていない。しかし、本発明の多機能郵便ポストは広告宣伝情報や天気予報や交通情報等の人々の生活に必要な情報や災害等の緊急時の情報を適宜配信し、広告・広報活動を行うことから、街頭の人々の利便性が向上する。また、郵便事業者は新たに広告掲載料を得ることから、その分郵便料金の値下げや、郵便サービスの向上が効果として期待できる。
【図面の簡単な説明】
【０００６】
【図１】本発明の実施形態における多機能郵便ポストの正面図（Ａ）および側面の断面図（Ｂ）である。
【図２】本発明の実施形態における多機能郵便ポストおよび情報センターの関係図である。
【図３】本発明の実施形態にディスプレイの詳細図であり、標準時（Ａ）および郵便物投函時（Ｂ）である。
【発明を実施するための形態】
【０００７】
図１に例示したように、本発明の多機能郵便ポスト（１）はセンサー付郵便物投函口（２）と郵便物保管スペース（３）を有し、一般の郵便ポストとしての機能を備えている。郵便物保管スペース（３）には郵便物の回収に便利なように袋を設置する等、一般の郵便ポストとしての運営のために必要な機能を適宜追加できるものとする。
【０００８】
図２に例示したように多機能郵便ポスト（１）と情報センター（１４）は双方向にデータの送受信が可能であり、また、多機能郵便ポスト（１）からの送信情報を受けた情報センター（１４）から多機能郵便ポスト（１）を遠隔操作することができる。
【０００９】
多機能郵便ポストは、少なくとも１つのディスプレイ（４）を有する。ディスプレイ（４）は有機ＥＬ板や液晶画面等を適宜採用できる。該ディスプレイ（４）は、図３に例示するように、ディスプレイ（４）は標準時には広告・広報情報表示領域（１５）およびタッチパネル（１６）からなる。また、該ディスプレイは表示領域を分割する機能を有し、郵便物が投函されたことが投函口のセンサーに感知された時、または、利用者がタッチパネル（１６）を操作した時に広告・広報情報表示領域（１５）が分割され、一部が郵便情報関連表示領域（１７）となる。
【００１０】
多機能郵便ポストの郵便関連情報表示領域（１７）とセンサー付郵便物投函口（２）についてさらに詳しく説明すると、該センサーは郵便物が投函されたことや郵便物の重さや大きさ等を感知し、情報を逐一情報センター（１４）に送信する。情報センター（１４）ではその郵便物の個々の投函時間、重さ、大きさ等の情報と投函されたポストの位置情報等を示す受付番号を発行し、該多機能郵便ポストに送信し、郵便関連情報表示領域（１７）に表示される。利用者はその受付番号により投函後の配送状況を追跡できる。さらに、前記の通り、郵便関連情報表示領域（１７）はタッチパネル（１６）によっても起動することができ、利用者は前記の受付番号の表示以外にも郵便番号や料金等の郵便に必要な情報を情報センター（１４）から得ることができる。
【００１１】
多機能郵便ポストの広告・広報情報表示領域（１７）の実施形態について詳しく説明する。該領域に表示される広告宣伝等の映像や音声情報は図２に例示したように情報センター（１４）から配信され、映像および音声が受信可能なインターネット無線受信機（図示していない）が受信する。受信された情報は映像・音声再生装置によりディスプレイ（４）やスピーカー（図示していない）に情報が再現され、広告宣伝活動および広報活動が行われる。
【００１２】
多機能郵便ポストの防犯機能に関して説明する。多機能郵便ポストは投函された郵便物の安全な管理を目的として警報装置および防犯灯としての防犯機能を有する。警報装置としては、防犯カメラ（１０）の映像を情報センター（１４）に送信し、適宜監視、記録し、異常が発生した際には、情報センター（１４）より通報や警報を行うことができる。警報としては多機能郵便ポストを遠隔操作するによりディスプレイ（４）を赤く点滅させたり、スピーカーから警報音を発する等で周囲に異常を知らせることができる。また、防犯灯としては内部に照明装置（８）および、側面に光を透過する取り外し自在広告パネル（１２）を有しており、夜間に発光することからその役割を果たす。照明装置（８）はＬＥＤ蛍光灯などの節電式照明器具であることが望ましいが、特に限定はしない。取り外し自在広告パネル（１２）の素材は、防犯上の理由から強化プラスチックであることが望ましいが、防犯灯に充分な光の透過率が得られ且つ内部の郵便物や装置が保護できる強度を得られれば、特に限定はしない。
【００１３】
多機能ポストは、インターネット無線送受信アンテナ（１１）を有し、インターネット無線の基地局となり、周囲に無線によるインターネット接続が可能な環境を与える。
【００１４】
そして、以上の実施に必要なエネルギーは太陽光パネル（６）により発電され、バッテリー（７）に蓄電された電力、または電気差込口（１５）を経て外部より供給される電力、またはその両方により供給される。
【符号の説明】
【００１５】
１      多機能郵便ポスト
２      センサー付郵便物投函口
３      郵便物保管スペース
４      ディスプレイ
５      映像・音声再生装置
６      太陽光パネル
７      バッテリー
８      照明装置
９      支柱
１０      防犯カメラ
１１      インターネット無線送受信アンテナ
１２      取り外し自在広告パネル
１３      電気差込口
１４      情報センター
１５      広告・広報表示領域
１６      タッチパネル
１７      郵便関連情報表示領域
【図１】
2011062243.tif 000003
【図２】
2011062243.tif 000004
【図３】
2011062243.tif 000005